(57)【特許請求の範囲】
【請求項１】
露光された静電潜像を有する帯電された光伝導エレメントがプリンティング媒体として使用され、かつペーパを前記光伝導エレメントに接触させることによって前記潜像を現像したトナー像を前記ペーパに転写するための手段を含む電子写真プリンティングマシンであって、
当該電子写真プリンティングマシンは、前記ペーパと前記光伝導エレメントとの間の接触を向上させるための接触向上機構を有し、
当該接触向上機構が、
共通の旋回ロッド上に取り付けられた複数のブレードセグメントから構成され、前記ペーパの移動方向を横切る方向に延びて前記プリンティングマシン上に取り付けられるワイパアセンブリーであって、前記複数のブレードセグメントのそれぞれは、前記旋回ロッドに対して所定の範囲で回動可能であり、この範囲を越えると前記旋回ロッドと共に旋回運動を行い、かつ前記複数のブレードセグメントのそれぞれには、前記光伝導エレメントと前記ペーパの接触が向上するように、トーションスプリングにより、当該ブレードセグメントが前記ペーパに向かう向きの付勢力が付与される、ワイパアセンブリーと、
前記旋回ロッドに接続され、前記旋回ロッドをその長軸を中心に回転させて、これにより、前記ブレードセグメントを前記ペーパに当接させる第１のドライブと、
前記複数のブレードセグメントから所定のブレードセグメントを選択して前記ペーパへ当接しないようにするためのストップ機構であって、前記トーションスプリングによる前記ブレードセグメントの動きを制止するよう動作して前記選択されたブレードセグメントが前記ペーパに当接しないようにする、ストップ機構と、
前記ストップ機構に接続され、前記ストップ機構を、前記選択された前記ブレードセグメントが前記ペーパに当接しないように動作させる第２のドライブと、
を備える、
電子写真プリンティングマシン。
【請求項２】
請求項１に記載の電子写真プリンティングマシンであって、前記接触向上機構は、取り扱われるペーパの寸法に応じた複数の構成を提供するように、前記ブレードセグメントが寸法合わせされかつ配置される、電子写真プリンティングマシン。
【請求項３】
請求項１に記載の電子写真プリンティングマシンであって、前記接触向上機構は、前記第１のドライブが、前記ペーパが前記光伝導エレメントとの転写のための接触の開始に応じて起動される、電子写真プリンティングマシン。
【請求項４】
請求項１に記載の電子写真プリンティングマシンであって、前記接触向上機構が、
トナー像転写ゾーンへの前記ペーパの接近を感知し、接近に応じて信号を発生するために、ペーパの経路内に配置された第１のセンサと、
取り扱うペーパの寸法をモニタし、前記寸法を示す信号を発生するために配置された第２のセンサと、
前記第１及び第２のセンサからの前記信号を受け取り、かつそれらの信号に従って前記第１及び第２のドライブを動作させるように接続されたプロセッサであって、前記第１のドライブを前記第１のセンサからの前記信号に応じて前記ブレードセグメントを動かして前記ペーパと前記光伝導エレメントの接触が向上するように動作させ、かつ前記第２のドライブを、前記ペーパの寸法に対する前記ブレードセグメントの構成を調整するために、前記第２のセンサからの前記信号に従って前記ストップ機構を動作させて、前記ペーパの寸法に対応した前記ブレードセグメントが前記ペーパに当接しないようにする、プロセッサと、
を備えたコントロールシステムをさらに備える、
電子写真プリンティングマシン。
【請求項５】
請求項１に記載の電子写真プリンティングマシンであって、
前記ストップ機構が、
第１及び第２の位置の間を回転するようシャフト上にシャフトと一体に取り付けられたカムセクタと、
前記カムセクタと係合するために、前記ブレードセグメントから延びる歯止め部材と、
から成り、
前記カムセクタが、前記第１の位置では前記歯止め部材を解放して、前記ブレードセグメントが前記ペーパに当接する回転を可能にし、前記第２の位置では前記歯止め部材と係合して、前記トーションスプリングの付勢力に抗して前記ブレードセグメントを制止させて前記ペーパへの当接を妨げる、
電子写真プリンティングマシン。
【請求項６】
露光された静電潜像を有する帯電された光伝導エレメントがプリンティング媒体として使用され、かつペーパを前記光伝導エレメントに接触させることによって前記潜像を現像したトナー像を前記ペーパに転写するための手段を含む電子写真プリンティングマシンにおける、前記ペーパと前記光伝導エレメントとの間の接触を向上させるための方法であって、
複数のブレードセグメントを有するブレードアセンブリーを構成するステップと、
前記ペーパの搬送経路内に、前記ペーパの移動方向に対して横切る方向に配置された共通の旋回ロッド上に、前記旋回ロッドに対して所定の範囲で回動可能であり、この範囲を越えると前記旋回ロッドと共に旋回運動するように前記複数のブレードセグメントを取り付けるステップと、
トーションスプリングによって、前記ブレードセグメントが前記ペーパに当接する方向に、前記複数のブレードセグメントをそれぞれ付勢するようにするステップと、
前記ブレードセグメントが前記ペーパに当接するように前記旋回ロッドを旋回させて、前記ペーパと前記光伝導エレメントの接触を向上させるステップと、
少なくとも１つの前記ブレードセグメントを選択的に制止させて、このブレードセグメントの前記ペーパへの当接を防ぎ、前記制止されたブレードセグメント以外のブレードセグメントにより、ブレードアセンブリーの寸法を前記ペーパの寸法に一致させるステップと、
を備える方法。
【請求項７】
請求項６に記載の方法であって、
前記トナー像の転写ゾーンへの前記ペーパの接近を感知し、かつ接近に応じて第１の信号を発生するステップと、
取り扱うペーパの寸法をモニタリングし、前記寸法を示す第２の信号を発生するステップと、
前記第１の信号を処理して、前記信号に応じて前記ブレードアセンブリーを前記ペーパに当接させるために前記旋回ロッドの旋回動作を開始させるステップと、
前記第２の信号を処理して、前記第２の信号に従って、前記制止されたブレードセグメントが前記ペーパに当接しないようにするために、少なくとも１つの前記ブレードセグメントを選択的に制止することを開始するステップと、
をさらに備える方法。
【請求項８】
請求項１に記載の電子写真プリンティングマシンであって、前記第１及び第２のドライブが、前記旋回ロッド及び前記ストップ機構の独立した位置合わせを可能にするクラッチを介して、前記旋回ロッド及び前記ストップ機構に接続された単一の駆動モータから成る、電子写真プリンティングマシン。
【発明の詳細な説明】
【０００１】
【発明の属する技術分野】
本発明は、一般に、カラー又はモノクロームの電子複写プリンティングシステムに関し、より具体的には、ペーパ又は他のコピー媒体と光伝導面との間の接触を最適にする装置に関する。
【０００２】
【従来の技術】
電子写真印刷機では、光伝導部材（光受容体ベルトであることが多い）をほぼ均一な電位に帯電して、その表面を感光性にする。光伝導部材の帯電部分は、この後、選択的に露光される。帯電された光伝導部材を露光すると、露光された領域内の電荷が消散する。これにより、光伝導部材上に静電気の潜像が記録される。この潜像は、再生される原文書の中に含まれる情報領域に対応している。静電気の潜像が光伝導部材上に記録された後、この潜像はトナー粒子で処理され、次に、コピーシートに転写される。コピーシートは加熱されて、イメージ形状のトナーイメージをそこに永久的に定着する。
【０００３】
多色電子写真プリンティングは、前述した白黒プリンティングのプロセスにほぼ等しい。しかしながら、単一の潜像を光伝導面上に形成するのではなく、異なるカラーに対応する連続した潜像が、その上に記録される。それぞれの単一カラーの静電潜像が、補色のトナーにより現像される。このプロセスは、異なって着色されたイメージ及びそれぞれの補色トナーに対して、複数のサイクル繰り返される。各単一カラーのトナーイメージは、前のトナーイメージと位置合わせを重ね合わせて、コピーシートに転写される。あるいはまた、複数のイメージを光受容体の表面に重ね合わせて、同時にシートに転写する。これにより、多層のトナーイメージがコピーシート上に作られる。この後、多層のトナーイメージが永久的にコピーシートに貼り付けられて、カラーコピーを作る。現像剤の材料は、液体でもパウダ材料でもよい。
【０００４】
【発明が解決しようとする課題】
ペーパ内に表面の凹凸が、使用する前又は取扱い中に発生することがある。そのような凹凸は、湿気にさらすこと、手違い、重ねてしまうことなどによって起こることが多く、コピーペーパ内に部分的な不具合を作る。その結果、ペーパと光受容体との間に空隙を形成することがある。そのようなギャップのために、ベルトからペーパへのトナーの転写がうまく行かず、このことは今度は、プリントされたコピー内で剥がれたり歪みを作る原因になる。ペーパをはじいたり古いペーパを捨てて、新しいペーパを加えることは、この問題に可能な解決策を与えるが、頻々にモニタリングする労力が必要となる。結果として生じた用紙を回転することは、本質的にペーパのコスト、労力及びダウンタイムの点で高価である。このため、オペレータを巻き込む仕事の必要性を減らすための、また無駄になるペーパの量を減少させるための手段が必要とされる。
【０００５】
シートの背面に力を加えて光受容体ベルトに対して平らにする装置は、この問題への１つの可能な解決策である。Xerox Corp.が所有する米国特許第５，２４７，３３５号は、そのような装置を有するマシンを説明している。米国特許第５，２４７，３３５号で説明されている装置は、コピーペーパに対してワイパブレードを動かすためのカムを採用して、ペーパと光受容体ベルトとの噛み合いを容易にさせている。
【０００６】
別のXerox Corporationの米国特許第５，２２７，８５２号は、４つの可撓性のブレードセグメントを使用するワイパブレードの実施形態を説明している。それぞれのワイパブレードは、ソレノイド動作の機構によって光受容体ベルトから後方に反っている。１つ以上のソレノイドが、使用するペーパの寸法に応じて、シートの通過によって駆動される。これらのマシンのブレードは、スタンバイの間及びそれぞれのコピーの間の両方の間に後方に湾曲した状態で保持されるので、ブレードは時間に対して永久変形を呈するようになり、加える力を減少させる。これは結果として、時間に対するブレードのパフォーマンスを劣化させることになり、ブレードを頻繁に置き換える必要性が生じる。
【０００７】
コピーシートと光受容体ベルトとの間の接触を向上させる、信頼性が高くメンテナンスをほとんど必要としない装置についての要求が依然として存在する。
【０００８】
【発明を解決するための手段】
本発明の方法及び装置においては、共通シャフトに取り付けられ、動作中はペーパに対してスプリングでバイアスされた、一連のワイパブレードが提供される。ワイパブレードは、ステッピングモータによって別個に又は対で動作される。ステッピングモータはリンケージシステムを駆動して、ブレードをペーパに当接するようにまた離すように回転させる。ブレードは、ペーパの経路を横切る方向に取り付けられた共通のピボットロッドの周りを旋回する。それぞれのブレードは、支持用ブレードセグメントのボディよりも硬くない、別の弾力性のあるプラスチックの接触エッジを備えている。
【０００９】
それぞれのブレードは、共に回転するために、トルクスプリングによってロッドに固定されている。このトルクスプリングによって、ブレードは限定された円弧運動を通してロッド上を旋回することができる。ロッド上のブレードの旋回運動は、ペーパに当接する方向にトルクスプリングによってバイアスされる。トルクスプリングは、これにより、漸進的で一貫したペーパのローディングを提供し、ブレードが回転して当接したときに、正確で効果的なトナーの転写を行う。
【００１０】
ブレードの動作機構には、レバー及びクランクのアセンブリーが含まれる。この機構は、ステッピングモータのステップ回転を加えて、ブレードを２つの位置の間に回転させる。全てのブレードは同じロッド上で動作し、ペーパに当接する方向及びペーパから離れる方向に同時に動作する。ペーパの寸法にもよるが、全てのブレードが均一の圧力をペーパに加える必要はない。ワイパブレードのトナーによる汚染及び光伝導体エレメントへの磨耗を避けるために、機構部は処理中の特定の寸法のペーパに対して、適当なブレードの組合わせを選択する必要がある。このため、それぞれのブレードは、カムセクタとして構成することができる決定ストップに動作的に関連している。カムセクタは、ブレードアセンブリー上の歯止め状の延長部と噛み合って、ペーパに対して選択されたブレードの動きを選択的に制限する。ブレードのロッドが回転する場合、カムセクタは噛み合ったブレードアセンブリーをトルクスプリングに対抗して保持し、一方ロッドは回転を続けて、抑制されていないブレードをペーパと接触させる。ブレードのアレイは、複数の対のアウトボードブレードと単一の中心にあるインボードブレードとから構成して、シート幅の必要な範囲内でペーパを扱うことができる。中心に見当合わせした構成では、アウトボードブレードだけがストップ機構と関係する。別の方法では、ブレードアレイは、単一のアウトボードブレードと複数のインボードブレードとから構成する。このエッジで見当合わせした構成では、インボードブレードだけがストップ機構と関係する。
【００１１】
カムセクタは、第２のステッピングモータによって駆動される第２のシャフト上に取り付けられている。この第２のステッピングモータによって、カムセクタは、関連するブレードアセンブリーに所望の拘束範囲を与える位置の間を回転する。ステッピングモータを停止することは、ペーパの寸法をモニタするセンサによって、ペーパがコピー機を通過するときにコントロールされる。個々のコントロールによって、ペーパが光伝導エレメントに達する前に、ペーパの前縁を感知するセンサに応じて、ブレードのモータが動作される。ステッピングモータのタイミング及びそれらの動きは、電子的に記憶された動作するしないのタイミング値のテーブルを参照することによって決定することができる。これらの値は、ブレード機構内のセンサから得られるブレード機構の位置及び、ブレード機構内又はペーパ経路の別の場所から得られたシート位置に関するデータを基準にしている。
【００１２】
本発明は、以下のような利点を提供する。
【００１３】
無限ではないにせよ、多数のシートの寸法を、わずか２つの駆動部材（モータ）によって受け入れることができる。従来の設計では、収容する各寸法に対して１つの駆動部材を必要としていた。
【００１４】
可撓性のブレードチップによって、負荷が優しく取り扱われると共に、ブレードが接触するとき、イメージが乱されることが防止される。
【００１５】
この可撓性のチップはまた、光受容体ベルトの位置に順応して、これにより、ベルトの表面へのアライメントの許容差にもかかわらず、均一な圧力をシートに与える。
【００１６】
スプリング式のブレード支持体は、より一貫した運用荷重与える。
【００１７】
ブレードのセグメントを動作させるためではなく抑制するために選択することによって、複数のペーパ寸法に対するブレードシステムの機構及び調整が簡単になる。
【００１８】
駆動機構としてステッピングモータを使用することにより、正確でコントロールが容易な動作が提供される。
【００１９】
【発明の実施の形態】
図１（ａ）及び図１（ｂ）は、接触向上機構２８の全体的な構成を示している。光伝導部材は、複数のローラの周りを張架される（１つのローラ１２のみを図示している）。光伝導部材１０は、静電的に固定された現像イメージ（すなわち、トナーイメージ）と共に、再循環移動経路内を矢印１４の方向に進行する。シート２０は、静電的に光伝導部材１０に引き付けられ、矢印１８の方向に引かれる。図１（ａ）及び図１（ｂ）は、さらに、進行する光伝導部材１０と進行するシート２０との間に挟まれた現像イメージ２６を示している。光伝導部材１０は、本発明の機能を大きく変えずに、あるシステムではベルトの形状を別のシステムではドラムの形状を取ることができる。
【００２０】
接触向上機構２８は、光伝導部材１０からシート２０への現像イメージ２６の転写の品質を高めるために、シート２０と現像イメージ２６との間の接触を向上させるように機能する。接触向上機構２８には、回転ロッド３４上で旋回できるブレード３２が含まれる。単一のセンサ７０が、ブレード３２の位置をモニタするために示されている。応用方法にもよるが、機構２８の部分の種々の位置を検出するために、複数のセンサを使用することが望ましい。
【００２１】
図１（ａ）及び図１（ｂ）は、シート２０が静電気の吸引力によって、転写ゾーン２４を通って搬送される場合のシート２０の動きを示している。より具体的に言うと、図１（ａ）は、接触向上機構２８上を通過する直前のシート２０を示す。接触向上機構がない場合は、シート２０と現像イメージ２６との間に多数のギャップ３０が発生することがある。ギャップ３０は、シートと現像イメージとの間の不完全な接触領域を規定する。これらの不完全な接触領域は、光伝導部材１０からシート２０への現像イメージ２６の転写を妨げる。シート２０が進行を続けると、指定時刻に動作する信号が向上機構２８の動作をトリガして、回転ロッド３４上のブレード３２を、図１（ａ）に示す位置から図１（ｂ）に示す位置まで旋回させる。ブレード３２はシート２０と接触して、図１（ｂ）に示すように、シートを現像イメージ２６と接触させて、これにより、不要なギャップ３０の存在を減少させる。この信号は、ペーパトレイ内で検出されたときのペーパ長の走行に基づいて、指定時刻に発生することができる。
【００２２】
結果として、シートと現像イメージとの間の接触が、シートの連続した部分がブレード３２と接触しながら進行するにつれて高められる。さらに前進すると、シートはコロナ発生装置２２の上を通過する。このコロナ発生装置は、光伝導部材１０からシート２０へ現像イメージを引き付けるために有効な転写フィールドを確立する。接触向上機構は、第２の指定時刻に発生する信号に応じて、回転ロッド３４上のブレード３２を、図１（ｂ）に示すその位置から図１（ａ）に示す位置に戻す。
【００２３】
ワイパブレード３２用の動作及び支持アセンブリー１が、図２に示されている。アセンブリー１には、コピー機（図示せず）内に組み込むための取付けブラケット４が付いている。ステッピングモータ５及び６が、ブラケット４上に固定されている。モータ５は、図２に示すように、ブレード旋回ロッド３４を駆動する。このロッド３４上に、ワイパブレードのアレイ８が取り付けられている。モータ６は、決定ストップ１１Ａ，１１Ｂ及び１１Ｃが取り付けられたロッド９を駆動する。モータ５はクランク及びレバーアセンブリー１５を介してロッド３４に接続され、モータ６はギヤシステム１７を介してロッド９に接続される。別の方法としては、ロッドの一方を回転させ他方をスリップさせることができる適当なクラッチを介して、ロッド９及び３４に接続された単一のモータを使用することができる。
【００２４】
説明する目的のために、ワイパブレードのアレイ８は、複数のブレードセグメント３２から構成される。特に、異なった寸法のペーパを収容するための調整ができるように、中央ブレードセグメント３２Ａ及び一対のアウトボードセグメント３２Ｂがある。図２に示すように、それぞれのブレードセグメント３２Ａ及び３２Ｂは、旋回ロッド３４上にロッドと一緒に回転するように独立して取り付けられる。それぞれのブレードセグメント３２は、トーションスプリング７を介してロッド３４に接続される。スプリング７は、ロッド３４とそれぞれのブレードセグメント３２との間に配置されると共に取り付けられて、ブレードセグメントをペーパの方に回転させようとするトルクをブレードセグメント上に発生する。このようにして、ブレードセグメント３２の制限された回転が、旋回ロッド３４上でトーションスプリング７に抗して可能にされるか、別の方法では、ブレードセグメント３２は旋回ロッド３４と共に移動する。
【００２５】
図６でより詳細に示すように、それぞれのブレードセグメント３２は、中心ボア２１を有するボディ１９から構成される。ボディ１９には、ブレードエッジ用ホルダ部３３及び歯止め状の延長部３５が含まれる。ボア２１は、対向するキースロット２３を有する。ブレードセグメント３２は、ボア２１によって旋回ロッド３４上に嵌合する。ピン２５は横向きの通路２７を通って挿入され、キースロット２３内に収まる。キースロット２３はアーチ形セグメントであり、ブレードセグメント３２がロッド３４上で動く範囲を制限することができる。ブレードホルダ内のキースロットによって、ブレードは旋回ロッドに関して光受容体ベルト及びシートから離れる方向に回転することができる。ブレードエッジ２９により加えられた力によって、シート２０は圧力が加えられて、光伝導部材１０の接触が向上する。ブレードエッジ２９は、可撓性のシート材料から構成することができる。ブレードエッジ２９は、ブレードエッジ用ホルダ部３３上に取り付けられ、外側に延びて、シート２０と接触するための当接面を形成する。
【００２６】
旋回ロッド３４は、図２及び図３で１５として示される駆動アセンブリーを介して、ステッピングモータ５によって駆動される。クランク及びレバーアセンブリー１５は、クランク４０及びレバー４１が動作的に関連したアセンブリーである。クランク４０は、ステッピングモータ５の駆動シャフト４２上に、回転するために固定され、シャフト４２から径方向に外側に延びるボディを有するように構成される。ピン４４は、シャフト４２の回転軸から径方向に外側に外れた位置で、クランク４０に横方向に固定される。レバー４１は旋回ロッド３４に固定されて、駆動シャフト４２の回転運動をロッド３４に伝達する。レバー４１は、クランク４０と交わるように延びる細長いボディを有するように構成される。レバー４１の外側端部４６は、レバー４１を部分的に下方に延びる縦方向のスロット４７で構成される。スロット４７はピン４４と係合して、ピン４４がスロット４７内を自由に動けるようにする。図５（ａ）及び図５（ｂ）に示すように、クランク４０は、ブレードセグメント３２Ａ及び３２Ｂのブレードエッジ２９が、ベルト１０上のシートと接触する位置にある。図５（ｂ）に示すように、クランク４０が駆動シャフト４２により新しい位置４９に反時計方向に回転すると、ピン４４はレバー４１を角度４８だけ旋回させる。この位置では、ブレードはペーパに当接する位置から外れている。ブレードの位置は、センサ４５によってモニタすることができる。このセンサ４５は、クランク４０上に取り付けられたフラグ４３によってトリガされる信号を発生する。
【００２７】
図５（ａ）及び図５（ｂ）に示すように、旋回ロッド３４へのブレードのボディ１９の取付け配置によって許された動きの範囲が制限されているために、ブレードエッジ２９によって加えられる力は、トーションスプリング７のスプリング定数に依存する。トーションスプリング７は、旋回ロッド３４とブレードのボディ１９との間に固定されている。
【００２８】
コピー機が取り扱うペーパ２０の寸法が様々であるため、ワイパブレード８の長さを調整する必要がある。前述したように、ブレード８は、インボードの中央ブレードセグメント３２Ａ及び一対のアウトボードのブレードセグメント３２Ｂから成る。どのようなセグメントの組合わせも、特定の用途が必要とする調整の程度を受け入れるために使用することができることに注意すべきである。この目的のために、それぞれのブレードセグメント３２は、決定ストップ１１Ａ，１１Ｂ及び１１Ｃに動作的に関連している。決定ストップ１１は、カムセクタ３７及びオープンセクタ３９で構成される。決定ストップ１１Ａ，１１Ｂ及び１１Ｃは、共に回転するために共通ロッド９上に取り付けられる。ロッド９は、ギヤシステム１７を介してステッピングモータ６によって駆動される。このギヤシステム１７は駆動ギヤ５０から構成し、この駆動ギヤ５０は駆動シャフト５３、変速機ギヤ５１及びロッド９に取り付けられた駆動ギヤ５２に接続されている。
【００２９】
動作する場合は、例えば、コピー機システムのペーパトレイ内のペーパ寸法モニタ７２からの信号応じて、決定ストップ信号がコントロール用コンピュータ７１により発生して、決定ストップ１１を動作させる。例えば、ペーパ寸法インジケータ７２が最も狭い幅を示す場合は、インボードのブレードセグメント３２Ａのみが必要とされる。図５（ｂ）に示すように、カムセクタ３７がブレードボディ１９の歯止め３５と係合する場合、歯止めはトーションスプリング７に対するブレードセグメント３２Ｂの動きを制限する。より大きな幅を持つペーパが検出されると、決定ストップが回転して、オーブンセクタ３９が歯止め３５と整列し、ブレードセグメント３２Ｂが、図５（ａ）に示すように、ブレードセグメント３２Ａと共に回転することが可能にされる。
【００３０】
決定ストップ１１の動きは、ステッピングモータ６によってなし遂げられる。ステッピングモータ６は、カムセクタ３７又はオーブンセクタ３９を回転し歯止め３５と係合させて、ブレードセグメント３２Ｂの位置を調整する、すなわち制限する又は制限しない、一連のステップを通して動く。
【００３１】
システム内のセンサが発生した別の時刻に生じる信号に応じて、例えば、シート２０の前縁が転写ゾーンに入ると、ステッピングモータ５はコントロール用コンピュータ７１からの信号を受け取り、ブレードセグメント３２を旋回させてシート２０に当接させる。ステッピングモータ５は、ブレードセグメント３２のエッジ２９がシート２０に当接するまで、プログラムされた一連のステップ増分だけ旋回ロッド３４を回転させる。この動きは、１つ以上のストップ１１Ａ，１１Ｂ又は１１Ｃが係合しない場合は、全てのブレードセグメント３２Ａ及び３２Ｂをシート２０に向かって動かすことに注意されたい。
【００３２】
このようにして、接触向上アセンブリーの幅を調整するための、単純で精密な機構が提供される。これにより、エッジ２９が光伝導部材と接触することが防止され、そのため、光伝導部材への汚染及び損傷が避けられる。重要なことは、この接触向上機構２８は、わずか２つのモータしか動作させずに、機構２８の構成要素を駆動することである。
【図面の簡単な説明】
【図１】  接触向上機構を利用するコピー機システムの概略図である。
【図２】  ブレードワイパのアセンブリーの斜視図である。
【図３】  ブレードの動作機構を示す、ブレードワイパのアセンブリーの斜視図である。
【図４】  決定ストップの動作機構を示す、ブレードワイパのアセンブリーの斜視図である。
【図５】  それぞれ、シートに当接した位置及びシートから離れた位置におけるブレ
ードワイパの動作機構の端面図である。
【図６】  ブレードアセンブリーの端面図である。
【図７】  ブレードシステムを動作させるためのコントロールシステムのブロック図である。
【符号の説明】
１０  光伝導部材、１２  ローラ、２０  シート、２２  コロナ発生装置、２４  転写ゾーン、２６  現像イメージ、２８  接触向上機構、３０  ギャップ、３２  ブレード、３４  回転ロッド、７０  第１のセンサ。
【図１】
0004623886.tif 000002
【図２】
0004623886.tif 000003
【図３】
0004623886.tif 000004
【図４】
0004623886.tif 000005
【図５】
0004623886.tif 000006
【図６】
0004623886.tif 000007
【図７】
0004623886.tif 000008